(57)【特許請求の範囲】
【請求項１】
塵埃を吸い込む塵埃吸込口から掃除機本体内に設けられかつファンケースを備える電動送風機の吸込開口までの吸込風路の途中に空気中に含まれた塵埃を除去する塵埃除去手段を備えた電気掃除機において、
前記電動送風機を覆う合成樹脂製で断面筒状のカバーと、
このカバーに嵌め込まれカバーより剛性を有する耐熱性材料からなるリング状の補強部材と、
この補強部材にばね一端が取り付けられ、ばね他端がファンケースの外周でかつ電動送風機の重心に対応する位置に取り付けられかつ等間隔で配された３本以上のばね部材とを備え、
前記ばね部材を用いて前記電動送風機を前記カバー内に押圧状態で弾性支持し、
前記カバーはこのカバーの前板部及び後板部で掃除機本体に支持されて掃除機本体内に取り付けられることを特徴とする電気掃除機。
【請求項２】
前記カバーは前カバーと後カバーとが接合部で一体的に接合されてなり、この接合部に、前記補強部材が位置することを特徴とする請求項１に記載の電気掃除機。
【請求項３】
前記ばね一端の補強部材への取り付けは、この補強部材に設けられたばね係合凹部に前記ばね一端を係合することで行われ、前記ばね係合凹部は、前記カバーの内周面に設けられた係合凹部に係合し、前記補強部材の一部あるいは全部が前記カバーに当接することを特徴とする請求項１または２に記載の電気掃除機。
【請求項４】
前記カバーは、前記補強部材が嵌め込まれる部分が、各角部を円弧状あるいは直線状にした略正方形をなし、かつこの角部には内方に突出する前記係合凹部が設けられることを特徴とする請求項３に記載の電気掃除機。
【請求項５】
前記補強部材の一部が前記カバーに当接し、当接しない部分の一部を前記カバーに固定することを特徴とする請求項４に記載の電気掃除機。
【請求項６】
前記カバーは、前記補強部材が嵌め込まれる部分が断面円形をなし、かつ外方突出し、前記ばね係合凹部が係合する係合凹部が設けられ、前記補強部材の全部がカバーに当接することを特徴とする請求項３に記載の電気掃除機。
【発明の詳細な説明】
【技術分野】
【０００１】
本発明は電気掃除機に係り、特に電動送風機の取り付け構造を改良した電動送風機を備えた電気掃除機に関する。
【背景技術】
【０００２】
一般に電気掃除機は、掃除機本体に設けた電動送風機の回転により生じる負圧を利用して、掃除機本体に連通される吸込ホースの先端に設けた吸込口体から空気とともに床などに溜まった塵埃を吸い込み、掃除機本体に内装された高速分離方式の塵埃除去手段あるいはフィルタで塵埃を捕獲して、床などの掃除を行うものである。
【０００３】
電気掃除機に用いる電動送風機は、この電動送風機の回転アンバランスによる振動が本体に伝わり、不快な騒音を発生する。このような電動送風機の振動を防振するための、防振構成の条件は、振動の小さい位置を支持し、充分に柔らかく、また、径方向には電動送風機の重量、軸方向には電動送風機の吸引力を支持する必要がある。
【０００４】
そこで、電動送風機の重心近くと掃除機本体の間に、この掃除機本体に設けた外周リングを介して設置されたばね部材と、モータと掃除機本体の間に空隙を設けて設置された衝撃吸収用の後部弾性体と、ファン部外周と本体の間に空隙を設けて設置された衝撃吸収用の前弾性体を用いて、電動送風機を掃除機本体に弾性支持する電気掃除機が提案されている（例えば、特許文献１参照）。
【０００５】
しかしながら、特許文献１に記載の電気掃除機は、モータが掃除機本体に直接弾性支持されるので、掃除機本体に振動が伝播し、運転音が静かではない。
【特許文献１】特開平５−８４１９４号公報
【発明の開示】
【発明が解決しようとする課題】
【０００６】
本発明は上述した事情を考慮してなされたもので、電動送風機から掃除機本体に伝播される振動、騒音を抑制し、静かに運転できる電気掃除機を提供することを目的とする。
【課題を解決するための手段】
【０００７】
上述した目的を達成するため、本発明に係る電気掃除機は、塵埃を吸い込む塵埃吸込口から掃除機本体内に設けられかつファンケースを備える電動送風機の吸込開口までの吸込風路の途中に空気中に含まれた塵埃を除去する塵埃除去手段を備えた電気掃除機において、
前記電動送風機を覆う合成樹脂製で断面筒状のカバーと、このカバーに嵌め込まれカバーより剛性を有する耐熱性材料からなるリング状の補強部材と、この補強部材にばね一端が取り付けられ、ばね他端がファンケースの外周でかつ電動送風機の重心に対応する位置に取り付けられかつ等間隔で配された３本以上のばね部材とを備え、前記ばね部材を用いて前記電動送風機を前記カバー内に押圧状態で弾性支持し、前記カバーはこのカバーの前板部及び後板部で掃除機本体に支持されて掃除機本体内に取り付けられることを特徴とする。
【発明の効果】
【０００８】
本発明に係る電気掃除機によれば、電動送風機から掃除機本体に伝播される振動、騒音を抑制し、静かに運転できる電気掃除機を提供することができる。
【発明を実施するための最良の形態】
【０００９】
本発明の第１実施形態に係る電気掃除機について図面を参照して説明する。
【００１０】
図１は本発明の第１実施形態に係る電気掃除機の外観を示す斜視図であり、図２は電気掃除機の掃除機本体の構成を示す縦断面図である。
【００１１】
図１及び図２に示すように、本第１実施形態に係る電気掃除機１は、掃除機本体１１と、この掃除機本体１１の接続口１１ａに一端が着脱自在に接続されその他端には手元操作管１２が設けられている集塵ホース１３と、手元操作管１２に着脱自在に接続した延長管１４と、この延長管１４の先端部に着脱自在に接続された吸込口体１５とを備える。手元操作管１２には操作部１２ａが設けられ、この操作部１２ａには複数の操作スイッチ１２ｂが設けられる。
【００１２】
吸込口体１５には、その底面に塵埃を吸引する図示しない吸込開口（塵埃吸込口）を形成した吸込室（図示せず）が形成されており、この吸込室は延長管１４および集塵ホース１３を介して掃除機本体１１内に設けた集塵ユニット３０の吸込接続口（図示せず）に連通している。
【００１３】
掃除機本体１１は、本体ケース２０と、本体ケース２０内に着脱自在に装着される集塵ユニット３０と、本体ケース２０に開閉可能に設けられた蓋体２１とを備える。
【００１４】
本体ケース２０の前側には、集塵ユニット３０が着脱自在に装着される集塵ユニット室（装着部）２２が形成され、この集塵ユニット室２２の上部開口２３は蓋体２１によって密閉される。また、本体ケース２０の後側には電動送風機２４が設けられ、この電動送風機２４の前側に前面開口２５ａを有する円筒状の接続風路部２５が形成され、この接続風路部２５内には格子部材２５ｂが配置されており、前面開口２５ａにはシールリング２６が装着されている。接続風路部２５の後壁２５ｃには接続開口２５ｄが形成され、この接続開口２５ｄと電動送風機２４の吸込開口２４ａとが連通する。
【００１５】
集塵ユニット３０は、掃除機本体１１の接続口１１ａと電動送風機２４の吸込開口２４ａまでの吸込風路の途中に着脱自在に装着され、掃除機本体１１内から取り出せる。
【００１６】
また、集塵ユニット３０は、第１の塵埃除去手段と第２集塵手段からなる塵埃分離手段を備え、第１の塵埃除去手段は、高速で流れる空気中に含まれる塵埃を重力差で分離する高速分離方式を採用し、塵埃分離部３２、集塵部３１およびネットフィルタ３３を備え、第２の塵埃分離手段として、プリーツフィルタ３４とから構成される。プリーツフィルタ３４は上流側が山部３４ａが形成され、前壁部３５ａに塵埃分離部３２が一体に形成される収納ケース３５に収納される。
【００１７】
収納ケース３５の前壁部３５ａには、接続開口３５ｂが形成され、この接続開口３５ｂが吸引風路部３６に接続される。そして、接続開口３５ｂを介して収納ケース３５内と吸引風路部３６とが連通する。
【００１８】
図３はカバーに覆われた電動送風機の斜視図であり、図４はその断面図である。図３及び図４に示すように、電動送風機２４はこの電動送風機２４を覆うファンケース４１を備え、ファンケース４１いずれも図示しない金属製の遠心ファンと、この遠心ファンの外周に設けられるディフューザ、遠心ファンを回転軸を介して回転させるモータを備える。
【００１９】
電動送風機２４はカバー４３で覆われる。カバー４３は合成樹脂製で、遠心ファンとモータ前部を覆う前カバー４４と、前カバー４４と一体的に設けられモータ後部を覆う後カバー４５とからなる。後カバー４５は前カバー４４に嵌合結合する。
【００２０】
前カバー４４は円筒形状をなし、前部に円板状の前板部４４ａが設けられ、この前板部４４ａの中央にはシール部材取付孔４４ｂが設けられる。
【００２１】
シール部材取付孔４４ｂには、截頭円錐中空体からなる軟質合成樹脂製で弾性を有するシール部材４６の小径部４６ａが嵌め込まれ、その端面４６ｂがファンケース４１の前面４１ａに当接し、シール部材４６に設けた通気路部４６ｃ、遠心ファンの吸込口２４ａに連通する。
【００２２】
また、カバー４３のファン側例えば前カバー４４の前面部外周近傍であるリング状の段部４４ｃには、リング状で弾性部材からなる前部カバー支持部材４７が外嵌される。
【００２３】
一方、後カバー４５には後板部４５ａが設けられ、この後板部４５ａの中央には、ファンケース４１に設けた軸受収容部４１ａ及びリング状の後部モータ支持部材４８を介してモータの軸受部（図示せず）が挿入される軸受用挿入凹部４５ｂが設けられる。
【００２４】
また、前カバー４４には前カバー接合部４４ｄが設けられ、後カバー４５にはこの断面円形の後カバー４５から拡径された後カバー接合部４５ｃが設けられ、前カバー接合部４４ｄが後カバー接合部４５ｃに嵌合され、必要に応じてねじ止めされて、カバー４３が一体的に形成される。
【００２５】
さらに、前カバー接合部４４ｄ及び後カバー４５は、各角部を直線状にした略正方形をなし、内側に位置する前カバー接合部４４ｄの角部には内方に突出する係合凹部４４ｅが設けられる。
【００２６】
電動送風機２４はこの一体化されたカバー４３に覆われるとともに、ばね部材４９によりカバー４３に弾性支持される。
【００２７】
電動送風機２４がカバー４３に覆われた状態で、いずれも図示しないディフューザに設けた空気吐出口から吐出された空気が、電動送風機２４内に設けた排気通気路を通り、ファンケース４１に設けたケース排気孔４１ｂ、後カバー４５の下部外周に設けたカバー排気孔４５ｄを介して本体ケース２０内に吹き出され、図２に示した電動送風機２４の後方に位置する本体ケース２０に設けた本体排気孔２０ａから本体ケース２０外に排気される。
【００２８】
図５及び図６に示すように、この弾性支持は、前カバー４４に嵌め込まれた図７に示す剛性を有し耐熱性部材として金属製例えば帯状鉄板を用い円形リング状の補強部材である補強リング５１と、ばね一端４９ａが補強リング５１に固定され、ばね他端４９ｂが円筒形状のファンケース４１に固定され、等間隔で配された３本以上例えば等間隔（９０°間隔）で垂直に対して４５°傾斜して配される４本のばね部材４９により行われる。なお、耐熱性部材として金属以外に耐熱性合成樹脂、耐熱性強化合成樹脂などがあげられる。
【００２９】
前カバー４４は、補強リング５１が嵌め込まれる部分が、各角部を円弧状あるいは直線状に角取りされた略正方形をなし、かつ例えば円弧状部には内方に突出する４個の係合凹部４４ｅが設けられる。
【００３０】
ばね他端４９ｂのファンケース４１への固定は、ばね他端４９ｂをばね係止部５２ａに係止することで行われ、ばね係止部５２ａは円形リング状で電動送風機重心位置のファンケース４１に巻き付け固定されたばね固定部材５２に等間隔でばね部材と同数の４個設けられる。ばね固定部材５２の固定は、ねじ止め部５２ｂにねじ５２ｃを螺合することで行われる。
【００３１】
補強リング５１には、ばね一端４９ａが係合するばね係合凹部５１ａが外方に突出し、ばね部材４９の配置位置に対応して、等間隔でばね部材と同数の４個設ける。
【００３２】
また、ばね一端４９ａの補強リング５１への固定は、ばね一端４９ａをばね係合凹部５１ａに係合することで行われる。  さらに、補強リング５１の前カバー４４への取り付けは、補強リング５１を前カバー４４に嵌め込むとともに、ばね係合凹部５１ａが係合凹部４４ｅに凹凸係合により行われ、補強リング５１の全体あるいは一部、例えば一部が前カバー４４に当接する。
【００３３】
さらに、ばね部材４９によって弾性支持された電動送風機２４は、軸受収容部４１ａが軸受用挿入凹部４５ｂに嵌合し弾性部材からなる後部モータ支持部材４８によって支持される。
【００３４】
また、図４に示すように、後カバー４５に設けた軸受用挿入凹部４５ｂには、後カバー支持部材５４が外嵌される。この後カバー支持部材５４はフランジ付リング状で、前部カバー支持部材４７と同様の弾性材からなる。
【００３５】
上記のようにカバー４３で覆われ、弾性支持された電動送風機２４は、図１及び図４に示すように、本体ケース２０の内部に一体に設けられた取付部あるいは一体的に設けられた前側上下２個の取付部材からなる取付部６０、及び後側上下２個の取付部６１によって、本体ケース２０内に取り付けられる。
【００３６】
この取り付け用の取付部６０には大径の半円状の取付凹部６０ａが設けられ、取付部６１には小径の半円状の取付凹部６１ａが設けられる。
【００３７】
従って、その取り付けは、取付凹部６０ａを前部カバー支持部材４７の断面コ字状の取付部４７ａに嵌め込み、取付凹部６１ａを後カバー支持部材５４の外周面に嵌め込むことで行われる。
【００３８】
本第１実施形態の電気掃除機において、掃除機本体の軽量化を図るため合成樹脂製カバーを用いているが、剛性の大きい金属製の補強リング５１を用いて固定することで、モータの発熱などによりカバー４３が加熱されても、補強リング５１を介してばね部材４９を受けるため、ばね応力でカバー４３が変形してモータ位置が変わることもなく性能の低下がない。
【００３９】
また、ばね係合凹部５１ａと係合凹部４４ｅの凹凸係合により行われるので、ばね部材４９による弾性支持構造が簡単になり、補強リング５１の４点でばね部材４９に固定されるので、ばね部材４９から伝播される振動を補強リング５１全体で吸収することができ、振動を抑制でき、低振動化にも寄与する。
【００４０】
さらに、カバー４３はばね部材４９の固定機能のほかに、電動送風機２４から発生する振動、騒音を遮蔽する機能を有するため、掃除機本体１１から発生する振動、騒音を低減できる。
【００４１】
なお、本第１実施形態の電気掃除機では、図７に示す補強リング５１のように、補強リング５１の前カバー４４に固定するためのねじ取付部を設けていないが、図８及び図９に示すように、必要に応じて、補強リング５１に前カバー４４に嵌め込むとともに、補強リング５１の一部が前カバー４４に当接し、当接しない部分の一部を補強リング５１Ａに設けたねじ取付部４４ｇを用いて前カバー４４に固定するようにしてもよい。これにより、補強リング５１Ａの変形時、振動の腹となる部分の変形を小さくすることができる。
【００４２】
本第１実施形態の電気掃除機によれば、電動送風機の弾性支持構造が簡単で、電動送風機の振動が掃除機本体に伝播するのを防止できる電気掃除機が実現する。
【００４３】
次に、本発明の第２実施形態に係る電気掃除機について説明する。
【００４４】
第１実施形態がカバーが略正方形で内方に突出する係合凹部が設けられ、補強リングの一部がカバーに当接するのに対して、本第２実施形態は、カバーが円筒形状であり外方に突出する係合凹部が設けられ、補強リングの全体がカバーに当接する。
【００４５】
例えば、図１０及び図１１に示すように、第２実施形態の電気掃除機の前カバー４４Ａは、円筒形状をなし、突出する係合凹部４４ｅ及び雌ネジ部４４ｇが設けられ、補強リング５１のばね係合凹部５１ａが係合凹部４４ｅに凹凸係合し、補強リング５１の全体が前カバー４４Ａに当接する。
【００４６】
従って、本第２実施形態に係る電気掃除機は、第１実施形態と同様に効果を奏するとともに、補強リング５１の変形なども防止される。
【００４７】
なお、他の構成は図２に示す掃除機本体と異ならないので、同一符号を付して説明は省略する。
【００４８】
本第２実施形態の電気掃除機によれば、電動送風機の弾性支持構造が簡単で、電動送風機の振動が掃除機本体に伝播するのを防止できる電気掃除機が実現する。
【００４９】
また、本発明の第３実施形態に係る電気掃除機について説明する。
【００５０】
第１実施形態はカバーに円筒形状の補強リングの一部がカバーに当接するように取り付けるのに対して、本第３実施形態はカバーが断面正方形状で、このカバーにアルミガイキャスト品の補強リングを取り付ける。
【００５１】
例えば、図１２に示すように、第３実施形態の電気掃除機のカバーは、断面正方形状をなし、前カバー４４Ｂの内周面には、外周が正方形状をなし、内周が円形をなす補強部材５１Ｂが嵌め込まれる。
【００５２】
電動送風機２４は、１本が垂下し、２本が垂直に対して６０°傾斜した設けられた３本のばね部材４９によって、カバー４４Ｂに弾性支持される。
【００５３】
これにより、カバーを用いることで、大きな振動抑制効果が得られるとともに、モータの発熱などによりカバー４４Ｂが加熱されても、補強部材５１Ｂを介してばね部材４９を受けるため、ばね応力で前カバー４４Ｂが変形してモータ位置が変わることもなく性能の低下がない。また、カバーによる騒音抑制効果も期待できる。
【００５４】
本第３実施形態の電気掃除機によれば、電動送風機の弾性支持構造が簡単で、電動送風機の振動が掃除機本体に伝播するのを防止できる電気掃除機が実現する。
【００５５】
また、本案の構成はキャニスタタイプに限らず、アップライトタイプやハンディタイプにも応用可能である。
【図面の簡単な説明】
【００５６】
【図１】本発明の第１実施形態に係る電気掃除機の外観を示す斜視図。
【図２】本発明の第１実施形態に係る電気掃除機の掃除機本体の構成を示す縦断面図。
【図３】本発明の第１実施形態に係る電気掃除機のカバーに覆われた電動送風機の斜視図。
【図４】本発明の第１実施形態に係る電気掃除機の電動送風機の断面図。
【図５】本発明の第１実施形態に係る電気掃除機に用いるモータ近傍の斜視図。
【図６】本発明の第１実施形態に係る電気掃除機に用いる前カバー及び補強リングの斜視図。
【図７】本発明の第１実施形態に係る電気掃除機に用いる補強リングの斜視図。
【図８】本発明の第１実施形態に係る電気掃除機に変形例の補強リングを用いた前カバー及び補強リングの斜視図。
【図９】本発明の第１実施形態に係る電気掃除機に変形例の補強リングの斜視図。
【図１０】本発明の第２実施形態に係る電気掃除機に用いる前カバー及び補強リングの斜視図。
【図１１】本発明の第２実施形態に係る電気掃除機に用いる前カバー及び補強リングの平面図。
【図１２】本発明の第３実施形態に係る電気掃除機に用いる前カバー及び補強リングの平面図。
【符号の説明】
【００５７】
１  電気掃除機
１１  掃除機本体
１３  集塵ホース
１５  吸込口体
２０  本体ケース
２２  集塵ユニット室（装着部）
２４  電動送風機
２４ａ  吸込開口
２５  接続風路部
２６  シールリング
３０  集塵ユニット
３１  集塵部
３２  塵埃分離部
３４  プリーツフィルタ
４１  ファンケース
４１ａ  軸受収容部
４１ｂ  ケース排気孔
４３  カバー
４４  前カバー
４４ａ  前板部
４４ｂ  シール部材取付孔
４４ｃ  段部
４４ｄ  前カバー接合部
４４ｅ  係合凹部
４５  後カバー
４５ａ  後板部
４５ｂ  軸受用挿入凹部
４５ｃ  後カバー接合部
４５ｄ  カバー排気孔
４６  シール部材
４７  前部カバー支持部材
４７ａ  取付部
４８  後部モータ支持部材
４９  ばね部材
４９ａ  ばね一端
４９ｂ  ばね他端
５１  補強リング
５１ａ  ばね係合凹部
５２  ばね固定部材
５２ａ  ばね係止部
５４  後カバー支持部材
６０  取付部
６１  取付部
【図１】
0004719206.tif 000002
【図２】
0004719206.tif 000003
【図３】
0004719206.tif 000004
【図４】
0004719206.tif 000005
【図５】
0004719206.tif 000006
【図６】
0004719206.tif 000007
【図７】
0004719206.tif 000008
【図８】
0004719206.tif 000009
【図９】
0004719206.tif 000010
【図１０】
0004719206.tif 000011
【図１１】
0004719206.tif 000012
【図１２】
0004719206.tif 000013